(57)【要約】【課題】ハウジング本体に対するカバーの装着開始時におけるカバーの傾きを一定の傾きに規制することで、カバーの挿入時にカバーの端子押し込み突片の先端部と端子金具の段差面との間の係り代が浅くなることを防止することができ、中途挿入状態の端子金具をカバーの挿入操作によって確実に正規の挿入完了位置に押し込むことができるカバー付きコネクタを提供すること。【解決手段】ハウジング本体１０の後端に装着されるカバー２０がハウジング本体１０内の中途挿入状態の端子金具を正規の挿入完了位置に押し込む端子押し込み突片２５を備え、カバー２０のハウジング本体１０への装着開始時には、ハウジング本体１０のカバー案内リブ１１の先端部に延設された装着方向規制突片１２がカバー２０のリブ係合溝２１の幅狭溝部２１１に挿入されることで、カバー２０の装着開始時におけるカバー２０の傾きが一定の傾きに規制される。【選択図】図８
2013101876.tif 000002
【特許請求の範囲】
【請求項１】
電線端に接続された端子金具が後方から挿入される複数の端子挿入孔を備えるハウジング本体と、前記端子挿入孔の後端から導出される電線を収容するように前記ハウジング本体の後端に装着されるカバーと、を備え、
前記ハウジング本体は、側壁に突設されて前記カバーの装着時に前記カバーを前記端子金具の挿入方向に沿って誘導するためのカバー案内リブと、前記カバーの装着が完了したときに前記カバーと係合して前記カバーを固定するカバー係止部と、を備え、
前記カバーは、前記カバー案内リブが挿入されることで前記ハウジング本体への装着時における当該カバーの移動方向を規制するリブ係合溝と、前記ハウジング本体に対して正規の装着完了位置に到達したときに前記カバー係止部と係合することで当該カバーを前記ハウジング本体に固定するハウジング係合部と、当該カバーの前記ハウジング本体への装着に伴って前記端子挿入孔に挿入されて前記端子挿入孔内の中途挿入状態の端子金具を正規の挿入完了位置に押し込む端子押し込み突片と、
を備えるカバー付きコネクタであって、
前記カバー案内リブは、前記リブ係合溝に最初に進入する先端部から前記端子金具の挿入方向に対して傾斜する方向に延出して設けられ、前記カバーの装着当初の傾きを前記端子金具に斜めに衝突する方向に規制する装着方向規制突片を備え、
前記リブ係合溝は、前記装着方向規制突片が通過するまで前記カバーの挿入方向を前記装着方向規制突片の傾斜方向に規制する幅狭溝部と、前記装着方向規制突片が前記幅狭溝部を通過する際に前記カバーの挿入方向を前記端子金具の挿入方向に一致する方向に転換するように前記幅狭溝部に連なって設けられた幅広溝部と、を備え、
前記端子押し込み突片は、前記装着方向規制突片が前記幅狭溝部を通過し終えたときには先端部が前記端子挿入孔の底面及び前記端子金具に所定の押圧接触状態となり、前記カバーが前記カバー案内リブの案内によって前記端子金具の挿入方向に沿って移動するときには、先端部が前記端子挿入孔の底面及び前記端子金具に押圧接触した状態で前記端子金具の挿入方向に進むように、寸法設定されていることを特徴とするカバー付きコネクタ。
【請求項２】
前記リブ係合溝は、前記ハウジング本体に対して前記カバーが天地反転した向きで装着されるときには、前記装着方向規制突片が溝の内側面に干渉して前記装着方向規制突片が挿入できないように、寸法設定されていることを特徴とする請求項１に記載のカバー付きコネクタ。
【発明の詳細な説明】
【技術分野】
【０００１】
本発明は、ハウジング本体の後端に装着されるカバーが、前記ハウジング本体内の中途挿入状態の端子金具を正規の挿入完了位置に押し込む端子押し込み突片を備えて成るカバー付きコネクタに関する。
【背景技術】
【０００２】
図３０及び図３１は、下記特許文献１に開示されたカバー付きコネクタを示している。
このカバー付きコネクタ１００は、複数の端子挿入孔（不図示）を備えるハウジング本体１１０と、端子挿入孔の後端から導出される電線を収容するようにハウジング本体１１０の後端１１０ａに装着されるカバー１２０と、を備える。
【０００３】
ハウジング本体１１０の端子挿入孔には、電線端に接続された端子金具が、図３０に矢印Ｘ１で示すように後方から挿入される。矢印Ｘ１で示す方向は、前記端子挿入孔の貫通方向であり、以下、端子挿入方向と呼ぶ。
【０００４】
ハウジング本体１１０は、カバー案内リブ１１１と、カバー係止部１１２と、を備える。
【０００５】
カバー案内リブ１１１は、カバー１２０の装着時に当該カバー１２０を前記端子挿入方向（図３０の矢印Ｘ１方向）に沿って誘導するための凸条で、ハウジング本体１１０の左右の両側壁１１３に突設されている。特許文献１の場合、カバー案内リブ１１１は、端子挿入方向に沿って直線状に延設されている。また、各側壁１１３には、２本のカバー案内リブ１１１が互いに平行に、上下に離間して配置されている。
【０００６】
カバー係止部１１２は、ハウジング本体１１０に対してカバー１２０の装着が完了したときに、後述するカバー１２０のハウジング係合部１２２と係合してカバー１２０を固定する突起である。
【０００７】
カバー１２０は、リブ係合溝１２１と、ハウジング係合部１２２と、端子押し込み突片１２３と、を備えている。
【０００８】
リブ係合溝１２１は、カバー案内リブ１１１が挿入されることで、ハウジング本体１１０への装着時における当該カバー１２０の移動方向を規制する溝である。リブ係合溝１２１は、ハウジング本体１１０の側壁１１３の外面に重なるカバー外側壁１２４の内面に形成されている。リブ係合溝１２１は、前記端子挿入方向に沿う直線状に形成されている。
【０００９】
ハウジング係合部１２２は、ハウジング本体１１０に対して正規の装着完了位置に到達したときにカバー係止部１１２と係合することで、当該カバー１２０をハウジング本体１１０に固定する凹みである。ハウジング係合部１２２は、カバー外側壁１２４の内面に形成されている。
【００１０】
端子押し込み突片１２３は、当該カバー１２０のハウジング本体１１０への嵌合に伴って前記端子挿入孔に挿入されて、前記端子挿入孔内の中途挿入状態の端子金具を正規の挿入完了位置に押し込む突片である。
【００１１】
特許文献１における端子押し込み突片１２３は、端子挿入方向に平行な直線状に延出した先端部１２３ａと、先端部１２３ａを支える基端部１２３ｂと、を備えている。
【００１２】
基端部１２３ｂは、先端部１２３ａを前記端子金具に押し付けるために、傾斜して設けられている。
【００１３】
端子押し込み突片１２３は、端子挿入孔に挿入された際に、端子金具の中間部に突出形成されている段差面（肩部）を先端部１２３ａにより端子挿入方向に押圧することによって、中途挿入状態の端子金具を正規の挿入完了位置に押し込む。
【先行技術文献】
【特許文献】
【００１４】
【特許文献１】特開２０００−３４８８１０号公報
【発明の概要】
【発明が解決しようとする課題】
【００１５】
ところが、特許文献１に開示されたカバー付きコネクタ１００の場合、ハウジング本体１１０に対するカバー１２０の装着開始時に、カバー１２０の傾きを規制する手段がなく、カバー１２０は先端部が図１０に矢印Ｒ１で示す上向き、或いは矢印Ｒ２で示す下向きのいずれにも、傾いてしまう可能性がある。
【００１６】
そして、カバー１２０の先端部（正確には、端子押し込み突片１２３の先端部１２３ａ）が矢印Ｒ１方向に振れた（傾いた）状態で、カバー１２０がハウジング本体１１０に挿入されると、端子押し込み突片１２３の先端部１２３ａと端子金具の段差面との間の係り代が標準よりも浅くなってしまう。その結果、カバー１２０の挿入途中で端子押し込み突片１２３の先端部１２３ａが端子金具の段差面から外れてしまって、中途挿入状態の端子金具を正規の挿入完了位置に復旧させることができなくなるおそれがあった。
【００１７】
そこで、本発明の目的は、上記課題を解消することに係り、ハウジング本体に対するカバーの装着開始時におけるカバーの傾きを一定の傾きに規制することで、カバーの挿入時にカバーの端子押し込み突片の先端部と端子金具の段差面との間の係り代が浅くなることを防止することができ、中途挿入状態の端子金具をカバーの挿入操作によって確実に正規の挿入完了位置に押し込むことができるカバー付きコネクタを提供することにある。
【課題を解決するための手段】
【００１８】
本発明の前述した目的は、下記の構成により達成される。
（１）電線端に接続された端子金具が後方から挿入される複数の端子挿入孔を備えるハウジング本体と、前記端子挿入孔の後端から導出される電線を収容するように前記ハウジング本体の後端に装着されるカバーと、を備え、
前記ハウジング本体は、側壁に突設されて前記カバーの装着時に前記カバーを前記端子金具の挿入方向に沿って誘導するためのカバー案内リブと、前記カバーの装着が完了したときに前記カバーと係合して前記カバーを固定するカバー係止部と、を備え、
前記カバーは、前記カバー案内リブが挿入されることで前記ハウジング本体への装着時における当該カバーの移動方向を規制するリブ係合溝と、前記ハウジング本体に対して正規の装着完了位置に到達したときに前記カバー係止部と係合することで当該カバーを前記ハウジング本体に固定するハウジング係合部と、当該カバーの前記ハウジング本体への装着に伴って前記端子挿入孔に挿入されて前記端子挿入孔内の中途挿入状態の端子金具を正規の挿入完了位置に押し込む端子押し込み突片と、
を備えるカバー付きコネクタであって、
前記カバー案内リブは、前記リブ係合溝に最初に進入する先端部から前記端子金具の挿入方向に対して傾斜する方向に延出して設けられ、前記カバーの装着当初の傾きを前記端子金具に斜めに衝突する方向に規制する装着方向規制突片を備え、
前記リブ係合溝は、前記装着方向規制突片が通過するまで前記カバーの挿入方向を前記装着方向規制突片の傾斜方向に規制する幅狭溝部と、前記装着方向規制突片が前記幅狭溝部を通過する際に前記カバーの挿入方向を前記端子金具の挿入方向に一致する方向に転換するように前記幅狭溝部に連なって設けられた幅広溝部と、を備え、
前記端子押し込み突片は、前記装着方向規制突片が前記幅狭溝部を通過し終えたときには先端部が前記端子挿入孔の底面及び前記端子金具に所定の押圧接触状態となり、前記カバーが前記カバー案内リブの案内によって前記端子金具の挿入方向に沿って移動するときには、先端部が前記端子挿入孔の底面及び前記端子金具に押圧接触した状態で前記端子金具の挿入方向に進むように、寸法設定されていることを特徴とするカバー付きコネクタ。
【００１９】
（２）前記リブ係合溝は、前記ハウジング本体に対して前記カバーが天地反転した向きで装着されるときには、前記装着方向規制突片が溝の内側面に干渉して前記装着方向規制突片が挿入できないように、寸法設定されていることを特徴とする上記（１）に記載のカバー付きコネクタ。
【００２０】
上記（１）の構成によれば、ハウジング本体に対するカバーの装着開始時には、ハウジング本体上の装着方向規制突片がリブ係合溝の幅狭溝部に突入することで、カバーの装着開始時におけるカバーの傾きが一定の傾きに規制され、カバーの傾きに振れが生じることを防止することができる。そして、装着開始時において傾きが規制されたカバーの挿入方向は、着方向規制突片が幅狭溝部を通過するまでは、端子金具に斜めに衝突する方向となるため、端子押し込み突片の先端部を確実に端子挿入孔の底面及び端子金具に押圧接触させることができる。そして、着方向規制突片が幅狭溝部を通過して、カバーがカバー案内リブの案内によって端子金具の挿入方向に沿って移動するときには、先端が端子挿入孔の底面及び端子金具に押圧接触した状態のままで端子挿入方向に進む。
【００２１】
従って、カバーの挿入時にカバーの端子押し込み突片の先端部と端子金具の段差面との間の係り代が浅くなることを防止することができ、中途挿入状態の端子金具をカバーの挿入操作によって確実に正規の挿入完了位置に押し込むことができる。
【００２２】
上記（２）の構成によれば、端子押し込み突片が天地逆向きの状態では、装着方向規制突片が溝の内側面に干渉してしまい、装着方向規制突片を溝に挿入させることができない。従って、ハウジング本体に対してカバーが天地反転した誤った状態でハウジング本体に組み付けられることを防止することができる。
【発明の効果】
【００２３】
本発明によるカバー付きコネクタによれば、ハウジング本体に対するカバーの装着開始時には、ハウジング本体上の装着方向規制突片がリブ係合溝の幅狭溝部に突入することで、カバーの装着開始時におけるカバーの傾きが一定の傾きに規制され、カバーの傾きに振れが生じることを防止することができる。そして、装着開始時において傾きが規制されたカバーの挿入方向は、着方向規制突片が幅狭溝部を通過するまでは、端子金具に斜めに衝突する方向となるため、端子押し込み突片の先端部を確実に端子挿入孔の底面及び端子金具に押圧接触させることができる。そして、着方向規制突片が幅狭溝部を通過して、カバーがカバー案内リブの案内によって端子金具の挿入方向に沿って移動するときには、先端が端子挿入孔の底面及び端子金具に押圧接触した状態のままで端子挿入方向に進む。
【００２４】
従って、カバーの挿入時にカバーの端子押し込み突片の先端部と端子金具の段差面との間の係り代が浅くなることを防止することができ、中途挿入状態の端子金具をカバーの挿入操作によって確実に正規の挿入完了位置に押し込むことができる。
【図面の簡単な説明】
【００２５】
【図１】本発明に係るカバー付きコネクタの一実施形態の分解斜視図である。
【図２】図１に示したハウジング本体及びカバーの側面図である。
【図３】一実施形態のハウジング本体に収容される端子金具の斜視図である。
【図４】図２に示したカバーの正面図である。
【図５】図４のＡ−Ａ断面図である。
【図６】一実施形態のハウジング本体とカバーとの嵌合開始時の状態を示す斜視図である。
【図７】図６のＢ矢視図である。
【図８】図７のＣ−Ｃ断面図である。
【図９】図８のＤ部拡大図である。
【図１０】図７のＥ−Ｅ断面図である。
【図１１】図１０のＦ部拡大図である。
【図１２】一実施形態のハウジング本体とカバーとの嵌合途中の状態を示す斜視図である。
【図１３】図１２のＧ矢視図である。
【図１４】図１３のＨ−Ｈ断面図である。
【図１５】図１４のＩ部拡大図である。
【図１６】図１３のＪ−Ｊ断面図である。
【図１７】図１６のＫ部拡大図である。
【図１８】一実施形態のハウジング本体とカバーとの嵌合完了状態の斜視図である。
【図１９】図１８のＬ矢視図である。
【図２０】図１９のＭ−Ｍ断面図である。
【図２１】図２０のＮ部拡大図である。
【図２２】図１９のＯ−Ｏ断面図である。
【図２３】図２２のＰ部拡大図である。
【図２４】図１９のＱ−Ｑ断面図である。
【図２５】図２４のＲ部拡大図である。
【図２６】一実施形態のカバーが天地逆向きでハウジング本体に嵌合開始された状態の斜視図である。
【図２７】図２６のＳ矢視図である。
【図２８】図２７のＴ−Ｔ断面図である。
【図２９】図２８のＵ部の拡大図である。
【図３０】従来のカバー付きコネクタのハウジング本体とカバーの組立前の状態の側面図である。
【図３１】図３０のカバー付きコネクタの組立状態の側面図である。
【発明を実施するための形態】
【００２６】
以下、本発明に係るカバー付きコネクタの好適な実施形態について、図面を参照して詳細に説明する。
【００２７】
図１〜図２９は本発明に係るカバー付きコネクタの一実施形態を示したもので、図１は一実施形態のカバー付きコネクタの分解斜視図、図２は図１に示したハウジング本体及びカバーの側面図、図３は一実施形態のハウジング本体に収容される端子金具の斜視図、図４は図２に示したカバーの正面図、図５は図４のＡ−Ａ断面図である。また、図６は一実施形態のハウジング本体とカバーとの嵌合開始時の状態を示す斜視図、図７は図６のＢ矢視図、図８は図７のＣ−Ｃ断面図、図９は図８のＤ部拡大図、図１０は図７のＥ−Ｅ断面図、図１１は図１０のＦ部拡大図、図１２は一実施形態のハウジング本体とカバーとの嵌合途中の状態を示す斜視図、図１３は図１２のＧ矢視図、図１４は図１３のＨ−Ｈ断面図、図１５は図１４のＩ部拡大図、図１６は図１３のＪ−Ｊ断面図、図１７は図１６のＫ部拡大図である。また、図１８は一実施形態のハウジング本体とカバーとの嵌合完了状態の斜視図、図１９は図１８のＬ矢視図、図２０は図１９のＭ−Ｍ断面図、図２１は図２０のＮ部拡大図、図２２は図１９のＯ−Ｏ断面図、図２３は図２２のＰ部拡大図、図２４は図１９のＱ−Ｑ断面図、図２５は図２４のＲ部拡大図、図２６は一実施形態のカバーが天地逆向きでハウジング本体に嵌合開始された状態の斜視図、図２７は図２６のＳ矢視図、図２８は図２７のＴ−Ｔ断面図、図２９は図２８のＵ部の拡大図である。
【００２８】
この一実施形態のカバー付きコネクタ１は、図１及び図２に示すように、複数の端子挿入孔１０ａを備えるハウジング本体１０と、ハウジング本体１０の後端に装着されるカバー２０と、を備える。ハウジング本体１０の端子挿入孔１０ａには、図３に示すように電線３０の端部に接続された端子金具４０が、ハウジング本体１０の後方から挿入される。
【００２９】
図２に示す矢印Ｘ３方向は、ハウジング本体１０への端子金具４０の挿入方向で、以下の説明では、端子挿入方向と呼ぶ。
【００３０】
本実施形態の場合、端子金具４０は、電線３０の端部の被覆部を把持する被覆把持部４１と、電線３０の導体部に圧着接続される導体加締め部４２と、相手の端子金具の舌状片を嵌合接続可能な嵌合接続部４３と、を備えている。また、嵌合接続部４３と導体加締め部４２との間には、後述する端子押し込み突片の先端部により押圧される段差面である肩部４４が形成されている。肩部４４は、端子底板４０ａよりも高さ方向（図３のＺ２方向）に突出（起立）した垂直面に形成される。
【００３１】
端子金具４０が挿入される端子挿入孔１０ａ内には、図２３に示すように、端子金具４０が正規の挿入完了位置まで挿入されたときに、嵌合接続部４３の後端部４３ａに係合して端子金具４０を抜け止めするランス１０ｂが設けられている。
【００３２】
ハウジング本体１０は、カバー案内リブ１１と、装着方向規制突片１２と、カバー係止部１３と、を備えている。
【００３３】
カバー案内リブ１１は、カバー２０の装着時に当該カバー２０を端子挿入方向（図２の矢印Ｘ３方向）に沿って誘導するための凸条で、ハウジング本体１０の左右の両側壁１５に突設されている。カバー案内リブ１１は、端子挿入方向に沿って直線状に延設されている。また、各側壁１５には、２本のカバー案内リブ１１が互いに平行に、上下（図２の矢印Ｚ３方向）に離間して配置されている。
【００３４】
装着方向規制突片１２は、１つの側壁１５に平行に装備される一対のカバー案内リブ１１の内の上側に位置するカバー案内リブ１１の先端からハウジング後方に延出するように、カバー案内リブ１１に一体形成されている。装着方向規制突片１２は、一対のカバー案内リブ１１の内の下側に位置するカバー案内リブ１１には装備されていない。
【００３５】
更に詳しく説明すると、装着方向規制突片１２は、後述するリブ係合溝２１に最初に進入するカバー案内リブ１１の先端部（図２では右端部）から斜め後方に延出して設けられている。また、本実施形態における装着方向規制突片１２は、図２に示すように、端子挿入方向に対して角度θだけ傾斜する方向に延出して設けられている。前述の角度θは、ハウジング本体１０に対するカバー２０の装着当初の傾きを端子金具４０に斜めに衝突する方向に規制する角度である。
【００３６】
カバー係止部１３は、ハウジング本体１０に対してカバー２０の装着が完了したときに、図２１に示すように後述するカバー２０のハウジング係合部２４と係合して、カバー２０を固定する突起である。カバー係止部１３は、側壁１５の外面に突設されている。
【００３７】
カバー２０は、図１及び図２に示すように、端子挿入孔１０ａの後端から導出される電線３０を収容するように、ハウジング本体１０の後端に装着される。本実施形態におけるカバー２０は、２種のリブ係合溝２１，２２と、ハウジング係合部２４と、端子押し込み突片２５と、を備えている。
【００３８】
リブ係合溝２１，２２は、一対のカバー案内リブ１１が挿入されることでハウジング本体１０への装着時における当該カバー２０の移動方向を規制する一対の溝である。リブ係合溝２１，２２は、ハウジング本体１０の側壁１５の外面に重なるカバー外側壁２７の内面に形成されている。
【００３９】
一方のリブ係合溝２１は、先端に装着方向規制突片１２を有したカバー案内リブ１１用の溝である。このリブ係合溝２１は、入口側となる幅狭溝部２１１と、該幅狭溝部２１１に連なる幅広溝部２１２とを備えている。
【００４０】
幅狭溝部２１１は、図８及び図９に示すように、装着方向規制突片１２が通過するまで、カバー２０の挿入方向を装着方向規制突片１２の傾斜方向（図８に示す端子挿入方向Ｘ４に対して角度θだけ傾斜した方向）に規制する。
【００４１】
リブ係合溝２１は、装着方向規制突片１２が幅狭溝部２１１を通過する際に、カバー２０の挿入方向を端子挿入方向に一致する方向に転換するように、幅狭溝部２１１に連なって設けられた幅広溝部２１２を備えている。幅広溝部２１２は、幅狭溝部２１１を通過した装着方向規制突片１２が逃げ込めるように、幅狭溝部２１１よりも溝幅を拡げた溝である。
【００４２】
本実施形態の場合、リブ係合溝２１は、図２６に示すようにハウジング本体１０に対してカバー２０が天地反転した向きで装着されるときには、装着方向規制突片１２が幅広溝部２１２の内側面に干渉して装着方向規制突片１２が幅狭溝部２１１を通過できないように、幅広溝部２１２が片側（図９において、矢印Ｙ４側）に偏って（偏心して）形成されている。
【００４３】
リブ係合溝２１に並んで配置されたリブ係合溝２２は、先端に装着方向規制突片１２を有していないカバー案内リブ１１用の溝である。このリブ係合溝２２は、溝幅が、幅狭溝部２１１よりも広く、且つ、幅広溝部２１２よりも狭く設定されている。リブ係合溝２２の溝幅は、端部に装着方向規制突片１２を有していないカバー案内リブ１１が、端子挿入方向に沿って円滑に摺動できるように、カバー案内リブ１１の幅よりも僅かに大きく設定されている。
【００４４】
ハウジング係合部２４は、ハウジング本体１０に対して正規の装着完了位置に到達したときにカバー係止部１３と係合することで当該カバー２０をハウジング本体１０に固定する凹みである。ハウジング係合部２４は、カバー外側壁２７の内面に形成されている。
【００４５】
端子押し込み突片２５は、カバー２０のハウジング本体１０への装着に伴って端子挿入孔１０ａに挿入されて、端子挿入孔１０ａ内の中途挿入状態の端子金具４０を正規の挿入完了位置に押し込む突片である。
【００４６】
この端子押し込み突片２５は、端子挿入方向に平行な直線状に延出した先端部２５ａと、先端部２５ａを支える基端部２５ｂと、を備えている。基端部２５ｂは、先端部２５ａを端子金具４０に押し付けるために、傾斜して設けられている。
【００４７】
また、本実施形態の端子押し込み突片２５は、装着方向規制突片１２が幅狭溝部２１１を通過し終えたときには、図１７に示すように、先端部２５ａが端子挿入孔１０ａの底面及び端子金具４０の肩部４４に所定の押圧接触状態となる。端子挿入孔１０ａの底面及び端子金具４０の肩部４４に押圧接触した先端部２５ａは、図１７に矢印Ｆ１で示す方向の反力を受け、その反力で撓んだ状態で、端子金具４０との接触を維持する。
【００４８】
また、装着方向規制突片１２が幅狭溝部２１１を通過し終えるときには、装着方向規制突片１２を有しないカバー案内リブ１１が、リブ係合溝２２に嵌合し始める。装着方向規制突片１２を有しないカバー案内リブ１１がリブ係合溝２２に挿入されることで、カバー２０は、図１６に矢印Ｒ５で示すように、ハウジング本体１０への挿入方向を端子挿入方向に転換する拗り力が働く。
【００４９】
更に、本実施形態における端子押し込み突片２５は、カバー２０がカバー案内リブ１１の案内によって端子挿入方向に沿って移動するときには、先端部２５ａが端子挿入孔１０ａの底面及び端子金具４０の肩部４４に押圧接触した状態を保って端子挿入方向に進むように、先端部２５ａ及び基端部２５ｂが寸法設定されている。
【００５０】
図６〜図１１はカバー２０がハウジング本体１０の後端に嵌合装着される初期の状態を示している。そして、図１２〜図１７はハウジング本体１０に対してカバー２０が嵌合途中の状態を示し、図１８〜図２５はハウジング本体１０に対してカバー２０が嵌合完了した状態を示している。
【００５１】
また、図２６〜図２９は、カバー２０が天地反転した向きでハウジング本体１０の後端に装着されるときの状態を示している。
【００５２】
以上に説明した一実施形態のカバー付きコネクタ１の構成によれば、ハウジング本体１０に対するカバー２０の装着開始時には、図８及び図９に示すようにハウジング本体１０上の装着方向規制突片１２がリブ係合溝２１の幅狭溝部２１１に突入することで、カバー２０の装着開始時におけるカバー２０の傾きが一定の傾きに規制され、カバー２０の傾きに振れが生じることを防止することができる。
【００５３】
そして、装着開始時において傾きが規制されたカバー２０の挿入方向は、装着方向規制突片１２が幅狭溝部２１１を通過するまでは、図８に示したように端子挿入方向に対して角度θだけ傾斜した方向で、端子金具４０に斜めに衝突する方向となるため、図１１及び図１７に示すように端子押し込み突片２５の先端部２５ａを確実に端子挿入孔１０ａの底面及び端子金具４０の肩部４４に押圧接触させることができる。
【００５４】
そして、装着方向規制突片１２が幅狭溝部２１１を通過して、カバー２０がカバー案内リブ１１の案内によって端子挿入方向に沿って移動するときには、先端部２５ａが端子挿入孔１０ａの底面及び端子金具４０の肩部４４に押圧接触した状態のままで端子挿入方向に進む。
【００５５】
従って、カバー２０の挿入時にカバー２０の端子押し込み突片２５の先端部２５ａと端子金具４０の肩部４４との間の係り代が浅くなることを防止することができ、中途挿入状態の端子金具４０をカバー２０の挿入操作によって確実に正規の挿入完了位置に押し込むことができ、図２３に示したように端子金具４０がランス１０ｂにより抜け止めされた状態を得ることができる。
【００５６】
また、カバー付きコネクタ１の構成によれば、リブ係合溝２１における幅広溝部２１２の配置が片側に偏って（偏心して）形成されていて、端子押し込み突片２５が天地逆向きの状態ではリブ係合溝２１に挿通させることができない。しかも、ハウジング本体１０に対してカバー２０が天地反転した向きで装着されるときには、図２８及び図２９に示すように、装着方向規制突片１２が当該装着方向規制突片１２の挿通を想定していないリブ係合溝２２に挿入されるようになる。
【００５７】
そのため、図２９に示すように、装着方向規制突片１２がリブ係合溝２２の内側面に干渉して、装着方向規制突片１２を溝に挿通させることができない。従って、カバー２０が、天地反転させた誤った状態でハウジング本体１０に組み付けられることを防止することができる。
【００５８】
なお、本発明のカバー付きコネクタは、前述した実施形態に限定されるものでなく、適宜な変形、改良等が可能である。
【００５９】
例えば、ハウジング本体の側面に配置するカバー案内リブの数量等は、前述した実施形態に限らず、単一、又は３以上装備した構成とすることができる。
【符号の説明】
【００６０】
１  カバー付きコネクタ
１０  ハウジング本体
１１  カバー案内リブ
１２  装着方向規制突片
１５  側壁
２０  カバー
２１  リブ係合溝
２２  リブ係合溝
２５  端子押し込み突片
２５ａ  先端部
３０  電線
４０  端子金具
４４  肩部
２１１  幅狭溝部
２１２  幅広溝部
θ  角度（傾斜角）
【図１】
2013101876.tif 000003
【図２】
2013101876.tif 000004
【図３】
2013101876.tif 000005
【図４】
2013101876.tif 000006
【図５】
2013101876.tif 000007
【図６】
2013101876.tif 000008
【図７】
2013101876.tif 000009
【図８】
2013101876.tif 000010
【図９】
2013101876.tif 000011
【図１０】
2013101876.tif 000012
【図１１】
2013101876.tif 000013
【図１２】
2013101876.tif 000014
【図１３】
2013101876.tif 000015
【図１４】
2013101876.tif 000016
【図１５】
2013101876.tif 000017
【図１６】
2013101876.tif 000018
【図１７】
2013101876.tif 000019
【図１８】
2013101876.tif 000020
【図１９】
2013101876.tif 000021
【図２０】
2013101876.tif 000022
【図２１】
2013101876.tif 000023
【図２２】
2013101876.tif 000024
【図２３】
2013101876.tif 000025
【図２４】
2013101876.tif 000026
【図２５】
2013101876.tif 000027
【図２６】
2013101876.tif 000028
【図２７】
2013101876.tif 000029
【図２８】
2013101876.tif 000030
【図２９】
2013101876.tif 000031
【図３０】
2013101876.tif 000032
【図３１】
2013101876.tif 000033